(57)【要約】【課題】  顔を向けた方向の音を、顔を向けたままの状態で聞くことのできる集音器として使えるメガホンを提供する。【解決手段】  円錐形状又は多角錐形状に形成したメガホン本体の後開口部寄りの側部に開閉弁付き切り込みを設けたことを特徴とするメガホン。【選択図】図１
2009151255.tif 000002
【特許請求の範囲】
【請求項１】
円錐形状又は多角錐形状に形成したメガホン本体の後開口部寄りの側部に開閉弁付き切り込みを設けたことを特徴とするメガホン。
【請求項２】
円錐形状又は多角錐形状に形成したメガホン本体の後開口部寄りの側部に開口部を設けたことを特徴とするメガホン。
【請求項３】
可撓性シートからなる本体内に開閉弁付き切り込みを設け、側端部どうしを重合させ円錐形状又は多角錐形状に形成したことを特徴とするメガホン。
【請求項４】
可撓性シートからなる本体内に開口部を設け、側端部どうしを重合させ円錐形状又は多角錐形状に形成したことを特徴とするメガホン。
【発明の詳細な説明】
【技術分野】
【０００１】  本発明は、顔を向けた方向の音を顔を向けたままの状態で聞くことができ、集音器としても使えるメガホンに関するものである。
【背景技術】
【０００２】  従来のメガホンとして、円錐状・多角錐状又は野球のバット等を模した形状のメガホンなどが知られている。
【発明の開示】
【発明が解決しようとする課題】
【０００３】  そのために次のような問題点があった。
（イ）従来のメガホンは円錐状又は多角錐状の両端部に各々開口部が設けられ、声を正面遠方へ到達させるメガホンとしては有効であるが、集音器として使うには耳に小さい開口部を当てるため、正面方向の音を集める場合は顔を目標に対し横に向けなければならず使いにくく、そのため集音器としての使い方はこれまでほとんどされなかった。
【課題を解決するための手段】
【０００４】  円錐形状又は多角錐形状に形成したメガホン本体の後開口部寄りの側部に開閉弁付き切り込みを設けたことを特徴とするメガホン。
【発明の効果】
【０００５】  本体側面に開閉弁を設けたメガホンであり、従来のメガホンとしての使い方の他、本体側面の開閉弁を開き本体側面開口部を耳当て穴として、顔を向けた方向の音を顔を向けたままの状態で聞くことのできる正面方向集音器として使用する。開閉弁は開閉自在であり、メガホンと正面方向集音器の切り替えが容易な構造となっている。
【発明を実施するための最良の形態】
【０００６】  以下、本発明の実施の形態を説明する。
【実施例１】
【０００７】  （イ）可撓性樹脂シートからなる本体（１）を円錐形状又は多角錐形状に形成し、本体（１）の広がった末端側に前開口部（２）を形成し、円錐状の本体（１）の先端をさらに外側に短く円錐形状に広げた後開口部（３）を形成する。
（ロ）本体（１）の後開口部（３）寄りの側部に半円状の切込み（４）を前開口部（２）方向に向けて開けて設け、切込み（４）の先端から弓状の折目（５）を設ける。このとき切込み（４）と折目（５）は連続して円形の開閉弁（６）を形成する。
本発明は以上の構成からなっている。
本発明をメガホンとして使用するときは開閉弁（６）が閉じた状態で、使用者（７）は後開口部（３）を口（８）にあてがい前開口部（２）を目標に向け声を出すことで、遠方まで声を到達させることができる。本発明を正面方向集音器として使用するときは、使用者（７）は開閉弁（６）を折目（５）から本体（１）内部に凹状に押し込み側面開口部（９）を形成する。このとき本体（１）内部で凹状になった開閉弁（６）は後開口部（３）を内側から塞ぐ形で固定され、前開口部（２）から側面開口部（９）を貫く音の通り道が形成される。この状態で使用者（７）は側面開口部（９）を耳（１０）にあてがい目標の方向を向くことにより前開口部（２）を同方向に向けることが可能となり、目標を見ながらその方向の音を集めて聞くことが同時に可能となる。また開閉弁（６）は後開口部（３）から指を挿入し押し広げることで側面開口部（９）が閉じた元の状態に復元できるため、メガホンと正面方向集音器との切替が容易に可能な構造となっている。
【実施例２】
【０００８】  （イ）可撓性樹脂シートからなる本体（１）を円錐形状又は多角錐形状に形成し、本体（１）の広がった末端側に前開口部（２）を形成し、円錐状の本体（１）の先端をさらに外側に短く円錐形状に広げた後開口部（３）を形成する。
（ロ）本体（１）の後開口部（３）寄りの側部に円状の側面開口部（９）を設ける。
本発明は以上の構成からなっている。
本発明をメガホンとして使用するときは、使用者（７）は側部開口部（９）を手（１１）で覆い塞ぐ形につかみ、後開口部（３）に口（８）にあてがい前開口部（２）を目標に向け声を出すことで、遠方まで声を到達させることができる。本発明を正面方向集音器として使用するときは、使用者（７）は側面開口部（９）を耳（１０）にあてがい目標の方向を向くことにより前開口部（２）を同方向に向けることが可能となり、目標を見ながらその方向の音を集めて聞くことが同時に可能となる。
【実施例３】
【０００９】  （イ）可撓性樹脂シート又は厚紙からなる本体（１）を扇型に形成し、一方の直線状の側端部（１２ａ）に挿入弁（１３）を複数設け、他方の直線状の側端部（１２ｂ）に挿入孔（１４）を複数設ける。
（ロ）扇状の本体（１）の中央部先端寄りに、半円状の切込み（４）を末端側方向に向けて開けて設け、切込み（４）の先端から弓状の折目（５）を設ける。このとき切込み（４）と折目（５）は連続して円形の開閉弁（６）を形成する。
（ハ）側端部（１２ａ）と側端部（１２ｂ）を平行に重合させ挿入孔（１４）に挿入弁（１３）を挿入し固定することにより円錐形の本体（１）が完成する。又、側端部（１２）を固定する手段として、挿入弁（１３）挿入孔（１４）を両面テープ、面ファスナー、固定用スナップ等に置換えることも可能である。
本発明は以上の構成からなっている。
本発明をメガホンとして使用するときは開閉弁（６）が閉じた状態で、使用者（７）は後開口部（３）を口（８）にあてがい前開口部（２）を目標に向け声を出すことで、遠方まで声を到達させることができる。本発明を正面方向集音器として使用するときは、使用者（７）は開閉弁（６）を折目（５）から本体（１）内部に凹状に押し込み側面開口部（９）を形成する。このとき本体（１）内部で凹状になった開閉弁（６）は後開口部（３）を内側から塞ぐ形で固定され、前開口部（２）から側面開口部（９）を貫く音の通り道が形成される。この状態で使用者（７）は側部開口部（９）を耳（１０）にあてがい目標の方向を向くことにより前開口部（２）を同方向に向けることが可能となり、目標を見ながらその方向の音を集めて聞くことが同時に可能となる。また開閉弁（６）は後開口部（３）から指を挿入し押し広げることで側面開口部（９）が閉じた元の状態に復元できるため、メガホンと正面方向集音器との切替が容易に可能な構造となっている。
【実施例４】
【００１０】  （イ）可撓性樹脂シート又は厚紙からなる本体（１）を扇型に形成し、一方の直線状の側端部（１２ａ）に挿入弁（１３）を複数設け、他方の直線状の側端部（１２ｂ）に挿入孔（１４）を複数設ける。
（ロ）扇状の本体（１）の中央部先端寄りに、円状の側面開口部（９）を設ける。
（ハ）側端部（１２ａ）と側端部（１２ｂ）を平行に重合させ挿入孔（１４）に挿入弁（１３）を挿入し固定することにより円錐形の本体（１）が完成する。又、側端部（１２）を固定する手段として、挿入弁（１３）挿入孔（１４）を両面テープ、面ファスナー、固定用スナップ等に置換えることも可能である。
本発明は以上の構成からなっている。
本発明をメガホンとして使用するときは、使用者（７）は側面開口部（９）を手（１１）で覆い塞ぐ形につかみ、後開口部（３）に口（８）にあてがい前開口部（２）を目標に向け声を出すことで、遠方まで声を到達させることができる。本発明を正面方向集音器として使用するときは、使用者（７）は側面開口部（９）を耳（１０）にあてがい目標の方向を向くことにより前開口部（２）を同方向に向けることが可能となり、目標を見ながらその方向の音を集めて聞くことが同時に可能となる。
【図面の簡単な説明】
【００１１】
【図１】本発明の使用状態を示す斜視図
【図２】本発明の使用状態を示す斜視図
【図３】本発明の使用状態を示す斜視図
【図４】本発明の斜視図
【図５】図４におけるＡ−Ａ端面図
【図６】本発明の斜視図
【図７】図６におけるＢ−Ｂ端面図
【図８】図６におけるＣ−Ｃ端面図
【図９】本発明の他の実施例の使用状態を示す斜視図
【図１０】本発明の他の実施例の使用状態を示す斜視図
【図１１】本発明の他の実施例の斜視図
【図１２】図１１におけるＤ−Ｄ端面図
【図１３】本発明の他の実施例の展開図
【図１４】本発明の他の実施例の斜視図
【図１５】本発明の他の実施例の斜視図
【図１６】本発明の他の実施例の展開図
【図１７】本発明の他の実施例の斜視図
【符号の説明】
【００１２】    １  本体
２  前開口部
３  後開口部
４  切込み
５  折目
６  開閉弁
７  使用者
８  口
９  側面開口部
１０  耳
１１  手
１２  側端部
１３  挿入弁
１４  挿入孔
【図１】
2009151255.tif 000003
【図２】
2009151255.tif 000004
【図３】
2009151255.tif 000005
【図４】
2009151255.tif 000006
【図５】
2009151255.tif 000007
【図６】
2009151255.tif 000008
【図７】
2009151255.tif 000009
【図８】
2009151255.tif 000010
【図９】
2009151255.tif 000011
【図１０】
2009151255.tif 000012
【図１１】
2009151255.tif 000013
【図１２】
2009151255.tif 000014
【図１３】
2009151255.tif 000015
【図１４】
2009151255.tif 000016
【図１５】
2009151255.tif 000017
【図１６】
2009151255.tif 000018
【図１７】
2009151255.tif 000019